(57)【要約】　　　（修正有）【課題】光ファイバケーブルに加わった歪みと等価の歪みを正確にセンシングすることができる光ファイバケーブル用スロットを提供する。【解決手段】中心にテンションメンバ１２を有し、周囲に複数の光ファイバ心線収納溝１７を備えた樹脂で構成された光ファイバケーブル用スロット１０において、テンションメンバ１２が金属パイプで構成され、このパイプ内にセンシング用光ファイバ素線１５が内蔵されている。また、中心のテンションメンバ１２の外周に複数の鋼線１４を撚り合わせて抗張力を高め、光ケーブル２４の強度を向上させている。【選択図】　図１
2004094032.tif 000002
【特許請求の範囲】
【請求項１】
中心にテンションメンバを有し、周囲に複数の光ファイバ心線収納溝を備えた樹脂で構成された光ファイバケーブル用スロットにおいて、前記テンションメンバが金属パイプで構成され、該パイプ内にセンシング用光ファイバ素線が内蔵されている光ファイバケーブル用スロット。
【請求項２】
前記センシング用光ファイバ素線はジェリーコンパウンドと共に前記パイプ内に内蔵されている請求項１記載の光ファイバケーブル用スロット。
【請求項３】
前記センシング用光ファイバ素線が内蔵されている中心のテンションメンバの外周に複数の鋼線を撚り合わせたテンションメンバが配設されている請求項１記載の光ファイバケーブル用スロット。
【発明の詳細な説明】
【０００１】
【産業上の利用分野】
この発明は、中心にテンションメンバを有し、周囲に複数の光ファイバ心線収納溝を備えた樹脂で構成された光ファイバケーブル用スロットに関する。
【０００２】
【従来の技術】
図２は従来の光ファイバケーブル用スロットの断面図であり、図２において１は光ファイバスロットであって、中心に単鋼線や鋼撚線等から成るテンションメンバ２を備えた熱可塑性樹脂等から構成され、その外周面に螺旋状の或いはＳＺ状の光ファイバ心線収納溝４が５条刻設されている。（特許文献１参照）
【０００３】
この５条刻設された光ファイバ心線収納溝４のうち、１条は空の収納溝４ａであり、この収納溝４ａにセンシング用の光ファイバ５が内蔵されており、この光ファイバ５を用いて光ファイバの歪み分布を計測し、光ケーブルの信頼性の評価や保守の目安としていた。
【０００４】
歪み分布の計測法としては、従来から知られているＢＯＴＤＲ計測器を用いるもので、詳細な説明は省略するが、センシング用の光ファイバに光パルスを入射すると、光ファイバ内でブリルアン散乱光が誘起し、光周波数を下方にシフトする。このシフト量が光ファイバに生じた歪みに比例することを利用して計測するものである。
【０００５】
そして図２に示すように、空の収納溝４ａがある場合には、そこにセンシング用の光ファイバ５を挿入できるが、そのような収納溝がない場合には、通信用として配設されている光ファイバの一つをセンシング用として利用するか、又は、光ケーブル外側に専用のセンシングファイバを設けるようにしていた。
【０００６】
【特許文献１】
特公平８−３３５０２号公報
【０００７】
【発明が解決しようとする課題】
しかしながら、このような従来のセンシング用光ファイバ５は、計測技術上、圧縮側に係る歪み計測より伸び側の歪み計測の方が計測し易く、そのためセンシング用光ファイバの設置場所の制約があった。また、テンションメンバ２を中心に撚り合わされて製造されている光ファイバは、寿命等の観点から余長を入れて作られており、特に、光ファイバがテープ心線のように一定の幅を有して撚り合わされているものは、中心線からのズレがねじり歪みとなり、正確なセンシングができないという問題点を有していた。
【０００８】
本発明はこのような状況に鑑みて成されたもので、その目的とするところは、光ファイバケーブルに加わった歪みと等価の歪みを正確にセンシングすることができる光ファイバケーブル用スロットを提供することにある。
【０００９】
【課題を解決するための手段】
上記課題を解決するために、本発明の光ファイバケーブル用スロットは、中心にテンションメンバを有し、周囲に複数の光ファイバ心線収納溝を備えた樹脂で構成された光ファイバケーブル用スロットにおいて、前記テンションメンバが金属パイプで構成され、該パイプ内にセンシング用光ファイバ素線が内蔵されている。
これによれば、中心にセンシング用の光ファイバ素線が配設されているから、ケーブルに加わった歪みと等価の歪みを計測することが可能である。
【００１０】
本発明の光ファイバケーブル用スロットは、前記センシング用光ファイバ素線はジェリーコンパウンドと共に前記パイプ内に内蔵されていることが好ましい。
これによれば、パイプとセンシング用光ファイバ素線間にジェリーコンパウンドがあるので、光ファイバが直接パイプと当接して損傷を受けることがない。
【００１１】
本発明の光ファイバケーブル用スロットは、前記センシング用光ファイバ素線が内蔵されている中心のテンションメンバの外周に複数の鋼線を撚り合わせたテンションメンバが配設されていることが好ましい。
これによれば、センシング用のテンションメンバだけで不足する抗張力を周りに撚り合わせて配置したテンションメンバでケーブルの強度向上が図れる。
【００１２】
【実施例】
以下、本発明の実施例を図１に基づいて説明する。
図１（ａ）は本発明の光ファイバケーブル用スロットを有する光ケーブルの断面図であり、（ｂ）は中心テンションメンバ１２の拡大図である。
【００１３】
図１（ａ）において、本発明の樹脂製の光ファイバケーブル用スロット１０（以下、単にスロットという）は中心に外径約０．９ｍｍφ、内径約０．７ｍｍφのパイプ状のステンレス管が中心テンションメンバ１２として配設され、その周りに６本の外径約０．９ｍｍφの鋼線１４が撚り合わさって取り囲んでいる。
【００１４】
中心テンションメンバ１２の内部には、図１（ｂ）に示すように、２５０μｍのＵＶファイバ素線１５が内蔵され、専らセンシング用光ファイバ素線として用いられる。このＵＶファイバ素線１５はジェリーコンパウンド１６と共に中心テンションメンバ１２に挿入されている。したがって、ＵＶファイバ素線１５が中心テンションメンバ１２と当接して損傷を受けることがない。
【００１５】
中心テンションメンバ１２とそれを取り囲む６本のテンションメンバとして構成された鋼線１４は樹脂を押し出し成形することでスロット１０と一体的に構成されている。このスロット１０はその外周に光ファイバ心線収納溝１７が５条螺旋状に刻設され、この収納溝１７に４心の光ファイバテープ心線１８が５つ積層されて、４心テープ×５層×５条の計１００心の通信用の光ファイバ素線が形成されることになる。
【００１６】
上記収納溝１７に光ファイバテープ心線１８が納められた後、スロット１０の外周には押え巻層２０を介してシース２２を被覆することで、光ケーブル２４が製作される。
【００１７】
本発明は、このように光ファイバスロット１０の中心にある中心テンションメンバ１２の中に、センシング用のＵＶファイバ素線１５を内蔵することで、光ケーブル２４に加わる歪みが直接ＵＶファイバ素線１５に反映されるので、ＵＶファイバ素線１５をＢＯＴＤＲ計測器で計測すれば、光ケーブル２４に加わった歪みと等価の歪みを計測することになる。
【００１８】
本発明の実施例においては、中心テンションメンバ１２の周りに６本のテンションメンバとしての鋼線１４を配したが、中心テンションメンバ１２一本で抗張力が維持できるのであれば、鋼線１４を設けなくてもよい。
【００１９】
以上本発明の実施形態を図面によって説明してきたが、具体的な構成はこれに限定されるものでなく、例えば、収納溝に納められる光ファイバ心線は、テープ状のものだけでなく、各種光ファイバ素線を用いることができ、収納溝の数や形状を適宜変更可能である。
【００２０】
【発明の効果】
本発明によれば、次のような効果が得られる。
【００２１】
（ａ）請求項１の発明によれば、中心にセンシング用の光ファイバ素線が配設されているから、ケーブルに加わった歪みと等価の歪みを計測することが可能である。
【００２２】
（ｂ）請求項２の発明によれば、パイプとセンシング用光ファイバ素線間にジェリーコンパウンドがあるので、光ファイバが直接パイプと当接して損傷を受けることがない。
【００２３】
（ｃ）請求項３の発明によれば、センシング用のテンションメンバだけで不足する抗張力を周りに撚り合わせて配置したテンションメンバでケーブルの強度向上が図れる。
【図面の簡単な説明】
【図１】（ａ）は本発明の光ファイバケーブル用スロットを有する光ケーブルの断面図であり、（ｂ）は中心テンションメンバ１２の拡大図である。
【図２】従来の光ファイバケーブル用スロットの断面図である。
【符号の説明】
１・・・光ファイバスロット
２・・・テンションメンバ
４・・・光ファイバ心線収納溝
４ａ・・空の収納溝
５・・・センシング用の光ファイバ
１０・・・光ファイバケーブル用スロット（スロット）
１２・・・中心テンションメンバ
１４・・・鋼線
１５・・・ＵＶファイバ素線
１６・・・ジェリーコンパウンド
１７・・・光ファイバ心線収納溝
１８・・・光ファイバテープ心線
２０・・・押え巻層
２２・・・シース
２４・・・光ケーブル
【図１】
2004094032.tif 000003
【図２】
2004094032.tif 000004